【手続補正書】
【提出日】平成20年4月25日(2008.4.25)
【手続補正１】
【補正対象書類名】明細書
【補正対象項目名】特許請求の範囲
【補正方法】変更
【補正の内容】
【特許請求の範囲】
【請求項１】  液晶ディスプレイを励振する回路であって、前記ディスプレイが、細長い行電極の配列体と、前記行電極を横断して配置された細長い列電極の配列体とを有し、一視線方向において見た場合に、電極の２つの前記配列体の重複した領域が前記ディスプレイの画素を画定する回路において、
制御デバイスと、
２つのエネルギー蓄積デバイスであって、各々が２つの端子を有し、前記液晶ディスプレイの周期的なアドレスサイクルに従って電位およびエネルギーを前記行および列電極に供給し、前記ディスプレイに所要の画像を表示させるエネルギー蓄積デバイスと、を有し、
前記エネルギー蓄積デバイスを充電するため、第１段階に際して前記制御デバイスが前記２つのエネルギー蓄積デバイスを複数の電力源の少なくとも１つに並列接続させ、結果として、前記エネルギー蓄積デバイスがそれらの端子間の電圧と実質的に同じ電圧に充電され、第２段階に際して前記制御デバイスが前記２つのエネルギー蓄積デバイスに前記行電極へ第１電位を供給させ、前記２つのエネルギー蓄積デバイスの一方に前記列電極へ前記第１電位よりも或る量だけ低い第２電位を供給させ、前記２つのエネルギー蓄積デバイスの他方に前記列電極へ前記第１電位よりも実質的に前記或る量だけ高い第３電位を供給させる回路。
【請求項２】  請求項１記載の回路において、
前記量が前記デバイスの前記端子間の前記電圧に実質的に等しい回路。
【請求項３】  請求項１記載の回路において、
前記制御デバイスは、前記ディスプレイが所要の画像を表示させられる場合、幾つかのアドレスサイクル中、前記行および列電極が前記２つのエネルギー蓄積デバイス以外の任意のエネルギー源からいかなるエネルギーも実質的に受信されないように構成されている回路。
【請求項４】  請求項１記載の回路において、
前記第１段階に際して前記列電極がいかなる電力源にも接続されず、所要の画像が、いかなる電力源にも接続されていない前記列電極によって覆われた画素に表示される回路。
【請求項５】  請求項１記載の回路において、
前記制御デバイスが前記第２段階において少なくとも１つの前記エネルギー蓄積デバイスを接続してエネルギーを前記（１つ以上の）行または列電極に供給し、電力源を前記列電極に接続し、１つ以上の列電極の（１つ以上の）電位を、複数の電力源の少なくとも１つによって供給されるかまたは供給させられる電圧で変更させて、前記１つ以上の列電極によって覆われた画素に画像を表示する回路。
【請求項６】  請求項１記載の回路において、
前記制御デバイスが、前記（１つ以上の）行または列電極によって消費される実質的に全てのエネルギーを、前記第２段階において前記２つのエネルギー蓄積デバイスによって供給させる回路。
【請求項７】  請求項１記載の回路において、
前記第２段階に際して前記制御デバイスが前記２つのエネルギー蓄積デバイスに２つの異なる組の電位を供給させ、第１組が前記第１、第２および第３電位を有し、第２組が、前記行電極に供給される第４電位と、前記第４電位よりも第２量だけ低く前記列電極に供給される第５電位と、前記第４電位よりも実質的に前記第２量だけ高い第６電位とを有する回路。
【請求項８】  請求項１記載の回路において、
前記第２段階における異なる時間間隔に際して前記制御デバイスが前記２つのエネルギー蓄積デバイスに２つの異なる組の電位を前記行および列電極に印加するために生成させる回路。
【請求項９】  請求項８記載の回路において、
前記第２段階における前記異なる時間間隔に際して前記制御デバイスが前記２つのエネルギー蓄積デバイスを少なくとも２つの異なる基準電位に接続させ、結果として、少なくとも２つの前記組の第１組の少なくとも１つの電位が前記少なくとも２つの異なる基準電位の第１基準電位で変化し、前記少なくとも２つの組の第２組の少なくとも１つの電位が前記少なくとも２つの異なる基準電位の第２基準電位で変化する回路。
【請求項１０】  請求項１記載の回路において、
前記第２および第３電位が第１量だけ前記第１電位と異なり、前記第２段階に際して前記制御デバイスが前記２つのエネルギー蓄積デバイスに２つの異なる組の電位を供給させ、第１組が前記第１、第２および第３電位を有し、第２組が、前記行電極に供給される第４電位と、前記第４電位よりも第２量だけ低く前記列電極に供給される第５電位と、前記第４電位よりも実質的に前記第２量だけ高い第６電位とを有する回路。
【請求項１１】  請求項１０記載の回路において、
前記第１および第２量が実質的に同じである請求項１０記載の回路。
【請求項１２】  液晶ディスプレイを励振する方法であって、前記ディスプレイが、細長い行電極の配列体と、前記行電極を横断して配置された細長い列電極の配列体とを有し、一視線方向において見た場合に、電極の２つの前記配列体の重複した領域が前記ディスプレイの画素を画定する方法において、
前記液晶ディスプレイの周期的なアドレスサイクルに従って電位を前記行および列電極に供給し、前記ディスプレイに所要の画像を表示させるために２つの電力源および少なくとも１つのエネルギー蓄積デバイスを制御するステップを含み、
前記制御するステップが第１段階において前記少なくとも１つのエネルギー蓄積デバイスに前記２つの電力源によって充電させ、その後の第２段階において前記少なくとも１つのエネルギー蓄積デバイスを前記（１つ以上の）行または列電極に接続させ、前記制御するステップが前記少なくとも１つのエネルギー蓄積デバイスに、前記第２段階に際して前記行および列電極に印加するために電位およびエネルギーを生成させ、前記制御するステップが前記少なくとも１つのエネルギー蓄積デバイスに第１電位を生成させ、前記行電極へ供給させ、第２および第３電位を生成させ、前記列電極へ供給させ、前記第２および第３電位が互いに異なり、前記第２および第３電位が実質的に前記第１量だけ前記第１電位と異なる方法。
【請求項１３】  液晶ディスプレイを励振する装置であって、前記ディスプレイが、細長い行電極の配列体と、前記行列電極を横断して配置された細長い列電極の配列体とを有し、一視線方向において見た場合に、列電極の２つの前記配列体の重複した領域が前記ディスプレイの画素を画定する装置において、
供給電源と、
第１および第２電気エネルギー蓄積デバイスと、
前記デバイスを充電するために前記供給電源を前記デバイスに接続し、（１つ以上の）電位を供給するために前記デバイスを前記列電極の少なくとも１つに接続し、結果として、或る行走査サイクルにおいて前記第１デバイスを充電するために前記第１デバイスが前記供給電源に接続され、電位を少なくとも１つの前記列電極に印加するために前記第２デバイスが前記少なくとも１つの列電極に接続され、他の行走査サイクルにおいて前記第２デバイスを充電するために前記第２デバイスが前記供給電源に接続され、電位を前記少なくとも１つの列電極に印加するために前記第１デバイスが前記少なくとも１つの列電極に接続されるスイッチング回路と、を有し、
行走査サイクルの初期部分に際して前記第１エネルギー蓄積デバイスが前記少なくとも１つの列電極の電圧を目標値近くまで励振し、前記行走査サイクルに際して前記行走査サイクルの前記初期部分の後に前記第２エネルギー蓄積デバイスが前記少なくとも１つの列電極の前記電圧を実質的に前記目標値まで励振する装置。
【請求項１４】  請求項１３記載の装置において、
行走査サイクルの初期部分に際して前記第１エネルギー蓄積デバイスの前記エネルギーの主要部分が前記少なくとも１つの列電極へ移され、それによって、前記少なくとも１つの列電極の前記電圧を前記目標値近くまで励振し、前記行走査サイクルに際して前記行走査サイクルの前記初期部分の後に、前記第２エネルギー蓄積デバイスの前記エネルギーの主要でない部分が前記少なくとも１つの列電極へ移され、それによって、前記少なくとも１つの列電極の前記電圧を実質的に前記目標値まで励振する装置。
【請求項１５】  請求項１３記載の装置において、
行走査サイクルの一部分に際して前記第１エネルギー蓄積デバイスおよび前記第２エネルギー蓄積デバイスの両方が前記少なくとも１つの列電極に接続される装置。
【請求項１６】  請求項１３記載の装置において、
少なくとも１つの電界アドレスサイクルの一部分に際して前記デバイスが前記供給電源によって充電され、前記電界アドレスサイクルの異なる部分において電位を行または列電極に供給するために用いられ、前記デバイスが、電荷消費を補償するために前記異なる部分の一部分の期間中に充電される装置。
【請求項１７】  請求項１３記載の装置において、
前記回路が、前記行走査サイクルに対して遅延されたスイッチングタイミング波形に従って前記供給電源および前記少なくとも１つの列電極を前記２つのエネルギー蓄積デバイスに接続し、結果として、行走査サイクルの一部分に際して前記エネルギー蓄積デバイスの少なくとも１つが前記少なくとも１つの列電極に接続され、前記行走査サイクルの他の部分に際して、残りのエネルギー蓄積デバイスが前記少なくとも１つの列電極に接続され、前記ディスプレイが所要の画像を表示する装置。
【請求項１８】  液晶ディスプレイを励振する方法であって、前記ディスプレイが、細長い行電極の配列体と、前記行電極を横断して配置された細長い列電極の配列体とを有し、一視線方向において見た場合に、電極の２つの前記配列体の重複した領域が前記ディスプレイの画素を画定する方法において、
供給電源および少なくとも１つの列電極を第１および第２電気エネルギー蓄積デバイスに接続し、結果として、或る行走査サイクルにおいて、前記第１デバイスを充電するために前記第１デバイスが前記供給電源に接続され、電位を前記少なくとも１つの列電極に印加するために前記第２デバイスが前記少なくとも１つの列電極に接続され、他の行走査サイクルにおいて、前記第２デバイスを充電するために前記第２デバイスが前記供給電源に接続され、電位を前記少なくとも１つの列電極に印加するために前記第１デバイスが前記少なくとも１つの列電極に接続されることによって、前記ディスプレイに所要の画像を表示させるように電位を前記行および列電極に供給するステップを含み、
行走査サイクルの初期部分に際して前記第１エネルギー蓄積デバイスが前記少なくとも１つの列電極の電圧を目標値近くまで励振し、前記行走査サイクルに際して前記行走査サイクルの前記初期部分の後に前記第２エネルギー蓄積デバイスが前記少なくとも１つの列電極の前記電圧を実質的に前記目標値まで励振する方法。
【請求項１９】  請求項１８記載の方法において、
行走査サイクルの初期部分に際して前記第１エネルギー蓄積デバイスの前記エネルギーの主要部分が前記少なくとも１つの列電極へ移され、それによって、前記少なくとも１つの列電極の前記電圧を目標値近くまで励振し、前記行走査サイクルに際して前記行走査サイクルの前記初期部分の後に、前記第２エネルギー蓄積デバイスの前記エネルギーの主要でない部分が前記少なくとも１つの列電極へ移され、それによって、前記少なくとも１つの列電極の前記電圧を実質的に前記目標値まで励振する方法。
【請求項２０】  請求項１８記載の方法において、
行走査サイクルの一部分に際して前記第１エネルギー蓄積デバイスおよび前記第２エネルギー蓄積デバイスの両方が前記少なくとも１つの列電極に接続される方法。
【請求項２１】  請求項１８記載の方法において、
前記供給するステップが、前記行走査サイクルに対して遅延されたスイッチングタイミング波形に従って前記供給電源および前記少なくとも１つの列電極を前記２つのエネルギー蓄積デバイスに接続し、結果として、行走査サイクルの一部分に際して前記エネルギー蓄積デバイスの少なくとも１つが前記少なくとも１つの列電極に接続され、前記行走査サイクルの他の部分に際して、残りのエネルギー蓄積デバイスが前記少なくとも１つの列電極に接続される方法。
【請求項２２】  請求項２１記載の方法において、
前記時間遅延は、前記行走査サイクルの初期部分に際して前記第１エネルギー蓄積デバイスの前記エネルギーの主要部分が前記少なくとも１つの列電極へ移され、それによって、前記少なくとも１つの列電極の前記電圧を目標値近くまで励振し、前記行走査サイクルに際して前記行走査サイクルの前記初期部分の後に、前記第２エネルギー蓄積デバイスの前記エネルギーの主要でない部分が前記少なくとも１つの列電極へ移され、それによって、前記少なくとも１つの列電極の前記電圧を実質的に前記目標値まで励振するようにする方法。
【請求項２３】  請求項２１記載の方法において、
前記スイッチングタイミング波形によって、前記行走査サイクルの一部分に際して前記第１エネルギー蓄積デバイスおよび前記第２エネルギー蓄積デバイスの両方が前記少なくとも１つの列電極に接続される方法。
【請求項２４】  請求項１８記載の方法において、
少なくとも１つの電界アドレスサイクルの一部分に際して前記デバイスが前記供給電源によって充電され、前記電界アドレスサイクルの異なる部分において電位を行または列電極に供給するために用いられ、前記デバイスが、電荷消費を補償するために前記異なる部分の一部分の期間中に充電される方法。
【請求項２５】  液晶ディスプレイを励振する装置であって、前記ディスプレイが、細長い行電極の配列体と、前記行列電極を横断して配置された細長い列電極の配列体とを有し、一視線方向において見た場合に、列電極の２つの前記配列体の重複した領域が前記ディスプレイの画素を画定する装置において、
供給電源と、
第１および第２電気エネルギー蓄積デバイスと、
前記デバイスを充電するために前記供給電源を前記デバイスに接続し、（１つ以上の）電位を供給するために前記デバイスを前記列電極の少なくとも１つに接続し、結果として、或る行走査サイクルにおいて前記第１デバイスを充電するために前記第１デバイスが前記供給電源に接続され、電位を少なくとも１つの前記列電極に印加するために前記第２デバイスが前記少なくとも１つの列電極に接続され、他の行走査サイクルにおいて前記第２デバイスを充電するために前記第２デバイスが前記供給電源に接続され、電位を前記少なくとも１つの列電極に印加するために前記第１デバイスが前記少なくとも１つの列電極に接続されるスイッチング回路であって、前記回路が、前記行走査サイクルに対して遅延されたスイッチングタイミング波形に従って前記供給電源および前記少なくとも１つの列電極を前記２つのエネルギー蓄積デバイスに接続し、結果として、行走査サイクルの一部分に際して前記エネルギー蓄積デバイスの少なくとも１つが前記少なくとも１つの列電極に接続され、前記行走査サイクルの他の部分に際して、残りのエネルギー蓄積デバイスが前記少なくとも１つの列電極に接続され、前記ディスプレイが所要の画像を表示するスイッチング回路と、
を有する装置。
【請求項２６】  請求項２５記載の装置において、
前記供給電源が電圧調整器とコンパレータと電流供給源とを有する装置。
【請求項２７】  請求項２５記載の装置において、
前記回路が前記デバイスを前記供給電源と前記少なくとも１つの列電極とに交互に接続する装置。
【請求項２８】  請求項２５記載の装置において、
前記装置が第１および第２の電気エネルギー蓄積デバイスを有し、前記回路が前記供給電源および前記少なくとも１つの列電極を２つの前記エネルギー蓄積デバイスへ交替行走査サイクルにおいて接続する装置。
【請求項２９】  請求項２５記載の装置において、
前記時間遅延は、前記行走査サイクルの初期部分に際して前記第１エネルギー蓄積デバイスの前記エネルギーの主要部分が前記少なくとも１つの列電極へ移され、それによって、前記少なくとも１つの列電極の前記電圧を目標値近くまで励振し、前記行走査サイクルに際して前記行走査サイクルの前記初期部分の後に、前記第２エネルギー蓄積デバイスの前記エネルギーの主要でない部分が前記少なくとも１つの列電極へ移され、それによって、前記少なくとも１つの列電極の前記電圧を実質的に前記目標値まで励振するようにする装置。
【請求項３０】  請求項２５記載の装置において、
前記スイッチングタイミング波形によって、前記行走査サイクルの一部分に際して前記第１エネルギー蓄積デバイスおよび前記第２エネルギー蓄積デバイスの両方が前記少なくとも１つの列電極に接続される装置。
【請求項３１】  液晶ディスプレイを励振する装置であって、前記ディスプレイが、細長い行電極の配列体と、前記行電極を横断して配置された細長い列電極の配列体とを有し、一視線方向において見た場合に、電極の２つの前記配列体の重複した領域が前記ディスプレイの画素を画定する装置において、
少なくとも２つの出力を供給する少なくとも第１および第２の個別電力源と、
周期的な電界アドレスサイクルに際して前記行および列電極を励振して画像を表示するため、前記電力源出力に感応して、前記電力源出力と異なる励振電圧を生成する回路であって、前記電界アドレスサイクルの第１サイクルに際して生成された前記励振電圧が、先または後の第２電界アドレスサイクルに際して生成された励振電圧と異なり、前記出力と一緒に前記第１サイクルに際して生成された前記電圧が第１電圧レンジ全体に亙り、前記出力と一緒に前記第２サイクルに際して生成された前記電圧が、前記第１電圧レンジと異なる第２電圧レンジ全体に亙り、前記励振電圧の少なくとも２つが、事前決定された電位差値だけ前記電力源出力と異なる電位まで引き寄せられることによって実質的に同時に生成される回路と、
を有する装置。
【請求項３２】  請求項３１記載の装置において、
前記励振電圧の少なくとも第１励振電圧が、事前決定された電位差値だけ前記電力源出力の第１出力と異なる電位まで引き寄せられることによって生成され、前記励振電圧の少なくとも第２励振電圧が、事前決定された電位差値だけ前記電力源出力の第２出力と異なる電位まで引き寄せられることによって生成される装置。
【請求項３３】  請求項３２記載の装置において、
前記回路が前記電界アドレスサイクルの前記第１サイクルに際して少なくとも前記第１励振電圧を生成し、前記電界アドレスサイクルの前記第２サイクルに際して少なくとも前記第２励振電圧を生成する装置。
【請求項３４】  請求項３１記載の装置において、
前記励振電圧の第１の対が、事前決定された電位差値だけ前記電力源出力の第１出力と異なる電位まで引き寄せられることによって生成され、前記励振電圧の第２の対が、事前決定された電位差値だけ前記電力源出力の第２出力と異なる電位まで引き寄せられることによって生成される装置。
【請求項３５】  請求項３４記載の装置において、
電圧の２つの前記対の各々が、前記行電極を励振する非走査電圧値と、前記列電極を励振する電圧値とを有する装置。
【請求項３６】  請求項３１記載の装置において、
前記回路が、１対のキャパシタと、前記励振電圧を生成するために前記電力源および前記キャパシタを接続するスイッチングデバイスとを有する装置。
【請求項３７】  液晶ディスプレイを励振する装置であって、前記ディスプレイが、細長い行電極の配列体と、前記行電極を横断して配置された細長い列電極の配列体とを有し、一視線方向において見た場合に、電極の２つの前記配列体の重複した領域が前記ディスプレイの画素を画定する装置において、
少なくとも２つの出力を供給する少なくとも第１および第２の個別電力源と、
エネルギー蓄積デバイスを有し、前記蓄積デバイスによって、かつ前記電力源出力に感応して、画像を表示するために周期的な電界アドレスサイクルに際して前記行および列電極を励振する励振電圧を生成する回路であって、前記電界アドレスサイクルの第１サイクルに際して生成された前記励振電圧が、先または後の第２電界アドレスサイクルに際して生成された励振電圧と異なる回路と、
を有する装置。
【請求項３８】  請求項３７記載の装置において、
前記励振電圧の少なくとも第１励振電圧が、前記電力源出力の第１出力と異なる第１電位まで引き寄せられることによって生成される装置。
【請求項３９】  請求項３８記載の装置において、
少なくとも前記第１励振電圧と異なる前記励振電圧の少なくとも第２励振電圧が、前記電力源出力の第２出力と異なる第２電位まで引き寄せられることによって生成される装置。
【請求項４０】  請求項３９記載の装置において、
少なくとも前記第１および第２励振電圧が同じ周期的な電界アドレスサイクル中に生成される装置。
【請求項４１】  請求項３９記載の装置において、
少なくとも前記第１および第２励振電圧が異なる周期的な電界アドレスサイクル中に生成される装置。
【請求項４２】  請求項３９記載の装置において、
少なくとも前記第１および第２励振電圧の各々が、実質的に同じ事前決定済み電位差値だけ前記第１および第２出力と異なる装置。
【請求項４３】  請求項３８記載の装置において、
少なくとも第１励振電圧が、前記蓄積デバイスにまたがる電位差の関数である電位差値だけ前記第１出力と異なる装置。
【請求項４４】  請求項３８記載の装置において、
前記蓄積デバイスが少なくとも１つの端子を有し、少なくとも前記第１励振電圧が前記蓄積デバイスの或る端子の電位によって生成される装置。
【請求項４５】  請求項３７記載の装置において、
前記励振電圧の少なくとも２つが、事前決定された電位差値だけ前記電力源出力と異なる電位まで引き寄せられることによって実質的に同時に生成される装置。